(57)【要約】【課題】洗濯機や浴槽などの多量に泡を含む排水が多い環境でも、機器側への泡の逆流が無い上に、排水を円滑に行うことができ、機器側に排水の逆流がない、排水流量が向上した排水トラップ・【解決手段】上部に排水が流入する排水口１、側面に排水を排出させる排出口２、を構成した有底筒状のトラップ本体６と、トラップ本体６内に配置され、側面に排水の通水する通水路７を設けた有底筒状の封水椀９と、筒状であって、封水椀９内に配置されて封水椀９と共同して封水を構成する封水筒１０と、から構成される排水トラップにおいて、トラップ本体６の底面を隆起させて頂点部４とし、当該頂点部４を起点にして両側に排出口２の最下端まで繋がる下り傾斜面５を設けた。【選択図】  図２
2008196169.tif 000002
【特許請求の範囲】
【請求項１】
上部に排水が流入する排水口１、側面に排水を排出させる排出口２、を構成した有底筒状のトラップ本体６と、
トラップ本体６内に配置され、側面に排水の通水する通水路７を設けた有底筒状の封水椀９と、
筒状であって、封水椀９内に配置されて封水椀９と共同して封水を構成する封水筒１０と、
から構成される排水トラップにおいて、
トラップ本体６の底面を隆起させて頂点部４とし、当該頂点部４を起点にして両側に排出口２の最下端まで繋がる下り傾斜面５を設けたことを特徴とする排水トラップ。
【請求項２】
前記頂点部４を起点とする傾斜面５は、上面視排出口２の中心線に対して線対称とはならないことを特徴とする前記請求項１に記載の排水トラップ。
【請求項３】
前記頂点部４を、上面視排出口２の中心線と、頂点部４からトラップ本体６の中心点に向かう直線との成す角度が約２６０°となる位置に構成したことを特徴とする前記請求項１又は請求項２のいずれか一つに記載の排水トラップ。
【請求項４】
前記排出口２の最下面は、トラップ本体６の底面と略同一であることを特徴とする前記請求項１乃至請求項３のいずれか一つに記載の排水トラップ。
【請求項５】
上部に排水が流入する排水口１、側面に排水を排出させる排出口２、を構成した有底筒状のトラップ本体６と、
トラップ本体６内に配置され、側面に排水の通水する通水路７を設けた有底筒状の封水椀９と、
筒状であって、封水椀９内に配置されて封水椀９と共同して封水を構成する封水筒１０と、
封水筒１０内に配置され、排水機器からの排水が流入する流入口１１を上部に備えた筒状の筒部１３、筒部１３下端から側方へ延出して排水を外部へと排出する流出口１２を備えたガイド部１４、を構成して、排水機器からの排水を封水筒１０の下端から封水椀９内へとガイドする泡止めパイプ１６と、
から構成される排水トラップにおいて、
前記泡止めパイプ１６のガイド部１４を、上面視緩やかな曲線形状として複数構成したことを特徴とする排水トラップ。
【請求項６】
前記泡止めパイプ１６は、封水筒１０内に配置された際に、上面視封水筒１０内にガイド部１４以外の排水が通水するための開口部１７が構成されることを特徴とする前記請求項５に記載の排水トラップ。
【請求項７】
前記封水椀９の底面に、上方に向けてなだらかに隆起させた凸部８を構成したことを特徴とする前記請求項５又は請求項６に記載の排水トラップ。
【請求項８】
前記泡止めパイプ１６の筒部１３の側面に、封水筒１０内の配置の位置決め及び位置固定を行う羽部１５を構成したことを特徴とする前記請求項５乃至請求項７のいずれか一つに記載の排水トラップ。
【請求項９】
請求項１乃至請求項４に記載のトラップ本体６に、請求項５乃至請求項８に記載の泡止めパイプ１６を用いたことを特徴とする排水トラップ。
【請求項１０】
前記泡止めパイプ１６のガイド部１４からの排水の流れ方向と、トラップ本体６の傾斜面５の排水の流れ方向が、同じとなるよう構成した前記請求項９に記載の排水トラップ。
【発明の詳細な説明】
【技術分野】
【０００１】
本発明は、下水からの臭気や害虫の室内側への逆流を防ぐ排水トラップに関するものである。
【背景技術】
【０００２】
従来よく知られた、排水トラップとしては、例えば図１０に図示した排水トラップがある。以下に図１０に図示した排水トラップの従来例を、図面を参照しつつ説明する。
図１０の従来例の排水トラップは、以下に記載する洗濯機用防水パンに取り付けられる。
洗濯機用防水パンは、上部に洗濯機を載置したパンであって、底面に開口を構成している。
排水トラップは、以下に記載するトラップ本体、フランジ、封水椀、封水筒、泡止めパイプ、継手、目皿部材から構成されてなる。
トラップ本体は、有底筒状であって、上部に排水が流入する排水口、側面に排水を排出させる排出口、を構成してなる。また、排水口には、後記するフランジと螺合する雌ねじを刻設し、排出口には管体が接続されて、最終的には下水管へと接続される。また、後記する封水椀が内部に配置されるが、この封水椀より外周の空間を排水の通過する流水路として構成される。
フランジは、外向き状の鍔を有した断面視Ｌ字状の部材であって、外周に前記トラップ本体と螺合する雄ねじを構成している。尚、該フランジはトラップ本体を前記洗濯機用防水パンの開口に取り付けるための部材であり、洗濯機用防水パンの開口に対しフランジとトラップ本体を挟着させて、フランジの雄ねじとトラップ本体の雌ねじを螺合することによって取付けられる。
封水椀は、トラップ本体内に配置される有底筒状の椀であって、内部に封水と呼ばれる排水を一部貯水する空間を構成する。そして、封水椀の上部には、封水椀内の排水の溢れ水を封水椀外に排水するための通水路を開口してなる。また、当該従来例では封水椀は前記フランジに係合載置により脱着自在に取り付けられている。
封水筒は、円筒状の部材であって、前記封水椀内に配置されて、封水椀と共同で封水を形成する。封水は下水の臭気や害虫を室内側へと逆流させないために備えられるものである。また、封水筒は前記フランジに脱着自在に係合取り付けされている。
泡止めパイプは、排水機器からの排水（本従来例では洗濯機からの排水）を封水筒の下端より下流へとガイドしつつ排水させる部材であって、排水機器からの排水が流入する流入口を上部に備えた円筒状の筒部、筒部下端に、側方へ延出して筒部内の排水を泡止めパイプ外へ排出する流出口を備えたガイド部を構成する。尚、ガイド部は、封水筒と近接もしくは封水筒より外方へ延出されるよう構成される。
継手は、洗濯機からの排水ホースと泡止めパイプの流入口の間に介されて接続される、エルボ状の管体である。
目皿部材は、トラップ本体の排水口に配置されるよう、フランジに係合取り付けされる。
【０００３】
前記した従来例の排水トラップでは、以下のような排水の流れとなる。
洗濯機から発生した排水は、洗濯機の排水ホース、継手を介して泡止めパイプの流入口に流入し、筒部とガイド部を介して流出口から泡止めパイプ外へ排出される。このようにして泡止めパイプ内を通過した排水は、ガイド部が封水筒と近接している若しくは封水筒より外方へ延出して構成されるので、洗濯機の排水に多く含まれる泡は直接泡止めパイプのガイド部から封水筒の外方へ強制的に排出され、排水中の泡が封水筒から排水口へ逆流するようなことはない。泡止めパイプからの排水は、封水筒より外方へ排出され、封水椀の通水路からトラップ本体内の流水路へ排出され、流水路を経由した排水は最終的には排出口から下水管へと排出される。
また、洗濯機用防水パン上に排水が発生した場合は、洗濯機用防水パンの開口に接続されたトラップ本体の排水口からトラップ本体内へ流入する。このとき、トラップ本体の排水口には目皿部材が配置されているから、洗濯機用防水パン上の排水中のゴミや髪の毛などは目皿部材によりキャッチされるので、トラップ本体内へ流入する排水に大きなゴミなどは混入しない。また、排水口からトラップ本体内へ流入した排水は、封水筒を介して封水椀内に貯留した上、封水椀の通水路からトラップ本体内の流水路を経由し、そのままトラップ本体の排出口から管体を介して最終的には下水管へと排水される。
【０００４】
次に、従来よく知られた排水トラップとして、例えば図１１に図示した排水トラップがある。以下に図１１に図示した排水トラップの従来例を、図面を参照しつつ説明する。
図１１に図示した従来例の排水トラップは、以下に記載する浴室に設けられる。
浴室は、浴槽と、浴槽を載置する浴槽パンと、当該浴槽パンと隣接して設けられる洗い場を形成する洗い場パンから構成される。尚、浴槽パン及び洗い場パンには開口が設けられており、当該開口の裏面側に排水トラップは接続配置されている。
排水トラップは、以下に記載するトラップ本体、フランジ、封水椀、封水筒、目皿部材、エルボ部材から構成されてなる。
トラップ本体は、有底筒状であって、上部に排水が流入する排水口、側面に排水を排出させる排出口を構成し、排水口には後記するフランジと螺合する雌ねじを刻設し、排出口には最終的には下水管へと接続される管体が接続される。また、トラップ本体の側面には後記するエルボ部材と接続される枝管が構成され、そして後記する封水椀が内部に配置された際、この封水椀より外周の空間を排水の通過する流水路として構成する。
フランジは、外向き状の鍔を有した断面視Ｌ字状の部材であって、外周に前記トラップ本体と螺合する雄ねじを構成している。尚、該フランジはトラップ本体を前記洗濯機用防水パンの開口に取り付けるための部材であり、洗濯機用防水パンの開口に対しフランジとトラップ本体を挟着させて、フランジの雄ねじとトラップ本体の雌ねじを螺合することによって取付けられる。
封水椀は、円筒状で、トラップ本体内に底面から一体的に立設して配置構成され、内部に封水と呼ばれる排水を一部貯水する空間を構成する。そして、封水椀の上部には、封水椀内の排水の溢れ水を封水椀外に排水するための通水路を構成してなる。
封水筒は、円筒状の部材であって、前記封水椀内に配置されて、封水椀と共同で封水を形成する。封水は下水の臭気や害虫を室内側へと逆流させないために備えられるものである。また、封水筒は前記フランジに脱着自在に係合取り付けされている。
目皿部材は、トラップ本体の排水口に配置されるよう、フランジに係合取り付けされる。
エルボ部材は、側面視エルボ状に構成されて、その内部を排水が通水する管体であって、一方が浴槽パンの開口に取り付けられ、他方がトラップ本体の枝管に接続構成される。
【０００５】
段落０００４に記載した従来例の排水トラップでは、以下のような排水の流れとなる。
洗い場パンに発生した排水は、洗い場パンの開口から裏面のトラップ本体の排水口からトラップ本体内部に流入し、封水筒を経過して封水椀に流入する。封水椀内の排水は封水筒下端を通過して封水椀の上端を乗り越え、通水路を通過して、トラップ本体内の流水路を経由し、トラップ本体の排出口から外部へ排出される。また、排出口から排水された排水は最終的には下水へと排水される。
浴槽からの排水は、浴槽パンの開口に取り付けられているエルボ部材内へ流入して、そのままトラップ本体の枝管からトラップ本体内へ流入する。枝管からトラップ本体内へ流入した浴槽排水はトラップ本体内の流水路を通過し、トラップ本体の排出口から下水へと排水される。
浴槽パンからの排水は、浴槽パンの開口からエルボ部材内へ流入し、そのままトラップ本体の枝管からトラップ本体内の流水路に流入し、その後トラップ本体の排出口から下水へと排出される。
このような排水経路をとることから、洗い場パンからの排水、浴槽からの排水、浴槽パンからの排水はいずれもトラップ本体内の封水を経過して下水管へと排出される。従って、洗い場パンの排水口や浴槽パンの開口から下水からの悪臭や害虫が逆流することはない。
また、洗い場パンからの排水中に髪の毛やゴミなどが存在していても、トラップ本体の排水口には目皿部材が構成されているので、目皿部材に髪の毛やゴミが補集され、トラップ本体内や下水側へ流入することはない。
【０００６】
【特許文献１】実公昭６２−２７５７２号公報
【特許文献２】実公平３−４５０号公報
【特許文献３】実開平５−３３７８号公報
【特許文献４】特開平３−２６０２３０号公報
【発明の開示】
【発明が解決しようとする課題】
【０００７】
従来例のような排水トラップは、以下のような問題点があった。
従来の洗濯機用排水トラップは、排水中の泡が室内側へと逆流しないように泡止めパイプを配置しているのであるが、当該泡止めパイプは流出口の開口面積が狭く、排水中の泡を効果的に抑止することはできるが、流出口の開口面積が狭いために排水流量が非常に悪くなっていた。
また、従来の浴槽用排水トラップは、トラップ本体に流入する排水量が多い場合等に、トラップ本体内の排水が追いつかずにトラップ本体の排水口側へ逆流し、洗い場パン上へ排水が逆流してしまうことがあった。また、洗い場パン側への逆流だけではなく、トラップ本体の枝管を介してエルボ部材の開口へと逆流することもあり、この場合には、エルボ部材の開口から浴槽パン上へ逆流したり、浴槽上に排水が逆流してしまうことがあった。
特に、洗い場パン上及び浴槽中に排水が逆流する場合には、使用者にとって外観視できるため非常に不衛生で汚かった。そして、浴槽パン上に排水が逆流すると、浴槽パン上は通常エプロンなどで水密的に接続されているので洗い場パン側から浴槽パン上を目視確認することができない上、浴槽パン上を綺麗に清掃しようとしてもエプロンが邪魔して洗いにくいことが多く、最悪の場合悪臭の原因などになる。
【０００８】
従って、本発明の排水トラップは、以下の課題を解決するために発明された。
１．洗濯機や浴槽などの多量に泡を含む排水が多い環境でも、機器側への泡の逆流が無い上に、排水が円滑に行うことができ、排水流量が向上した排水トラップ。
２．排水トラップにおいて、機器側に排水の逆流がない、排水流量が向上した排水トラップ。
【課題を解決するための手段】
【０００９】
請求項１に記載の本発明は、上部に排水が流入する排水口１、側面に排水を排出させる排出口２、を構成した有底筒状のトラップ本体６と、トラップ本体６内に配置され、側面に排水の通水する通水路７を設けた有底筒状の封水椀９と、筒状であって、封水椀９内に配置されて封水椀９と共同して封水を構成する封水筒１０と、から構成される排水トラップにおいて、トラップ本体６の底面を隆起させて頂点部４とし、当該頂点部４を起点にして両側に排出口２の最下端まで繋がる下り傾斜面５を設けたことを特徴とする排水トラップである。
【００１０】
請求項２に記載の本発明は、前記頂点部４を起点とする傾斜面５は、上面視排出口２の中心線に対して線対称とはならないことを特徴とする前記段落０００９に記載の排水トラップである。
【００１１】
請求項３に記載の本発明は、前記頂点部４を、上面視排出口２の中心線と、頂点部４からトラップ本体６の中心点に向かう直線との成す角度が約２６０°となる位置に構成したことを特徴とする前記段落０００９又は段落００１０のいずれか一つに記載の排水トラップである。
【００１２】
請求項４に記載の本発明は、前記排出口２の最下面は、トラップ本体６の底面と略同一であることを特徴とする前記段落０００９乃至段落００１１のいずれか一つに記載の排水トラップである。
【００１３】
請求項５に記載の本発明は、上部に排水が流入する排水口１、側面に排水を排出させる排出口２、を構成した有底筒状のトラップ本体６と、トラップ本体６内に配置され、側面に排水の通水する通水路７を設けた有底筒状の封水椀９と、筒状であって、封水椀９内に配置されて封水椀９と共同して封水を構成する封水筒１０と、封水筒１０内に配置され、排水機器からの排水が流入する流入口１１を上部に備えた筒状の筒部１３、筒部１３下端から側方へ延出して排水を外部へと排出する流出口１２を備えたガイド部１４、を構成して、排水機器からの排水を封水筒１０の下端から封水椀９内へとガイドする泡止めパイプ１６と、から構成される排水トラップにおいて、前記泡止めパイプ１６のガイド部１４を、上面視緩やかな曲線形状として複数構成したことを特徴とする排水トラップである。
【００１４】
請求項６に記載の本発明は、前記泡止めパイプ１６は、封水筒１０内に配置された際に、上面視封水筒１０内にガイド部１４以外の排水が通水するための開口部１７が構成されることを特徴とする前記段落００１３に記載の排水トラップである。
【００１５】
請求項７に記載の本発明は、前記封水椀９の底面に、上方に向けてなだらかに隆起させた凸部８を構成したことを特徴とする前記段落００１３又は段落００１４に記載の排水トラップである。
【００１６】
請求項８に記載の本発明は、前記泡止めパイプ１６の筒部１３の側面に、封水筒１０内の配置の位置決め及び位置固定を行う羽部１５を構成したことを特徴とする前記段落００１３乃至段落００１５のいずれか一つに記載の排水トラップである。
【００１７】
請求項９に記載の本発明は、前記段落０００９乃至段落００１２に記載のトラップ本体６に、前記段落００１３乃至段落００１６に記載の泡止めパイプ１６を用いたことを特徴とする排水トラップである。
【００１８】
請求項９に記載の本発明は、前記泡止めパイプ１６のガイド部１４からの排水の流れ方向と、トラップ本体６の傾斜面５の排水の流れ方向が、同じとなるよう構成した前記段落００１７に記載の排水トラップである。
【発明の効果】
【００１９】
本発明の排水トラップは、以下の効果を奏する。
請求項１に記載の本発明は、トラップ本体６の底面を隆起させて頂点部とし、当該頂点部を起点にして両側に排出口の最下端まで繋がる下り傾斜面５を設けたことで、排水の流れを強制的に形づけることができるため、排水の流れに勢いが付き、排水トラップの排水流量が向上した。
請求項２に記載の本発明は、前記頂点部を起点とする傾斜面５を上面視排出口の中心線に対して線対称とはならないこととしたため、排水の流が頂点部から渦を巻くように流れ方向を形づけるため、排水トラップの排水流量が向上した。
請求項３に記載の本発明は、前記頂点部を、上面視排出口の中心線と、頂点部からトラップ本体６の中心点に向かう直線との成す角度が約２６０°となる位置に構成から、排水の流れが排出口に向かって一番勢いづく方向となり、排水トラップの排水流量が向上した。
請求項４に記載の本発明は、排出口の最下面は、トラップ本体６の底面と略同一としたので、排水の傾斜面５での流れ付けが排出口から円滑に排水されるようになり、排水トラップの排水流量が向上した。また、排出口の取り付け位置の底面がトラップ本体の底面と略同一に構成されているから、従来のように高さ方向に段差無く構成されるようになり、ゴミ詰まりの問題解消や、更には排水の流れがその段差により阻害されるようなことがないので、排水トラップの排水流量向上につながった。そして、排水トラップ本体の高さ方向を小さくできるようになり、床下の低床化に役立った。
請求項５に記載の本発明は、泡止めパイプ１６のガイド部１４を、上面視緩やかな曲線形状として複数構成したことから、排水の流れがガイド部１４の緩やかな曲線形状の壁で曲線形状に勢いづき、渦状に排水が流れるようになり、排水トラップの排水流量が向上した。
請求項６に記載の本発明は、泡止めパイプ１６を封水筒１０内に配置された際に、上面視封水筒１０内にガイド部１４以外の排水が通水するための開口部１７が構成されたことから、排水口からトラップ本体６の泡止めパイプ１６以外の排水があっても、円滑に封水筒１０より下流の封水椀９内部に排水を流入させるこができるので、排水トラップの排水流量が向上した。
請求項７に記載の本発明は、前記封水椀９の底面に、上方に向けてなだらかに隆起させた凸部８を構成したことから、泡止めパイプ１６から流下した排水が凸部８に衝突し放射状に排水の流を形づけることができ、その形づけた排水を泡止めパイプ１６のガイド部１４に衝突させることで排水をより渦状に勢いづけることができるようになり、排水トラップの排水流量が向上した。
請求項８に記載の本発明は、泡止めパイプ１６の筒部１３の側面に、封水筒１０内の配置の位置決め及び位置固定を行う羽部１５を構成したことから、トラップ本体６内の排水口に配置される封水筒１０内の適宜箇所に位置決め固定することができるようになった。
請求項９に記載の本発明は、請求項１乃至請求項４に記載のトラップ本体６に、請求項５乃至請求項８に記載の泡止めパイプ１６を用いたことにより、泡止めパイプ１６のガイド部１４の緩やかな曲線で形成された排水の流れが、トラップ本体６の傾斜面５により更に強く排水の流れを勢いづけることが可能となるので、排水トラップの排水流量が向上した。
請求項１０に記載の本発明は、前記泡止めパイプ１６のガイド部１４からの排水の流れ方向と、トラップ本体６の傾斜面５の排水の流れ方向が、同じとなるよう構成したので、トラップ本体６内の排水の流れが同方向となり、トラップ本体６内で排水の乱流の発生がなくなり、排水トラップの排水流量が向上した。
【実施例】
【００２０】
以下に本発明の第１実施例を、図面を参照しつつ説明する。
本発明の排水トラップは、図１、図６乃至図８に図示した排水トラップである。以下に図１、図６乃至図８に図示した排水トラップの実施例を、図面を参照しつつ説明する。
図１、図６乃至図８に図示した本実施例の排水トラップは、以下に記載する浴室に設けられる。
浴室は、浴槽と、浴槽を載置する浴槽パン２１と、当該浴槽パン２１と隣接して設けられる洗い場を形成する洗い場パン２２から構成される。尚、浴槽パン２１及び洗い場パン２２には開口が設けられており、当該開口の裏面側に排水トラップは接続配置されている。
排水トラップは、以下に記載するトラップ本体６、フランジ、封水椀９、封水筒１０、目皿部材２４、エルボ部材２３から構成されてなる。
トラップ本体６は、図６乃至図８に図示する上面視円形状の有底筒状であって、上部に排水が流入する排水口１、側面に排水を排出させる排出口２を構成し、排水口１には後記するフランジと螺合する雌ねじを刻設し、排出口２には最終的には下水管へと接続される管体が接続される。また、図示しないがトラップ本体６の側面には後記するエルボ部材２３と接続される枝管２５が構成され、そして後記する封水椀９が内部に配置された際、この封水椀９より外周の空間を排水の通過する流水路３として構成する。
また、排出口２の高さの底面はトラップ本体６の底面と略同一に構成されており、この構成は、当該実施例おいては排出口２内に排水管や下水管を接続した際に、トラップ本体６の底面と排出口２の高さ方向がフラットとなるよう構成されている。この構成は、排出口２を排水管や下水管の厚み分下方に飛び出すよう構成することで、底面同士がフラットになるように構成される。
当該トラップ本体６の流水路３の一部底面を隆起させて頂点部４とし、当該頂点部４を起点にして、両側に排出口２に向かって、排出口２の底面の最下端まで繋がる下り傾斜面５を設けてなる。また、頂点部４は、上面視排出口２の中心線と、頂点部４からトラップ本体６の中心点に向かう直線との成す角度が約２６０°となる位置に配置構成されており、頂点部４を起点とする傾斜面５は、トラップ本体６の上面視排出口２の中心線に対して線対称とはならないように配置構成されている。頂点部４を排出口２の中心線に対して線対称とならないように構成すれば、線対称に構成したものと比較して、実験の結果、排水の流れをより強く勢いづけることが判明している。
尚、この傾斜面５は、トラップ本体６内の流水路３を流れている排水が、当該頂点部４からの傾斜面５により排水の流れが排出口２に向かって円滑に勢い付き、そのまま傾斜面５に沿って排出口２から円滑に排水される。
フランジは、断面視外向き状の鍔を有したＬ字状の部材であって、外周に前記トラップ本体６と螺合する雄ねじを構成している。尚、トラップ本体６を前記洗い場パン２２の開口に取り付けるための部材であり、洗い場パン２２の開口に対しフランジとトラップ本体６を挟着させて、フランジの雄ねじとトラップ本体６の排水口１の雌ねじと螺合させて取付けられる。
封水椀９は、円筒状で、トラップ本体６内に底面から一体的に立設して配置構成される。内部に封水と呼ばれる排水を一部貯水する空間を構成する。そして、封水椀９の上部には、封水椀９内の排水の溢れ水を封水椀９外に排水するための通水路７を構成してなる。
封水筒１０は、円筒状の部材であって、前記封水椀９内に配置されて、封水椀９と共同で封水を形成する。封水は下水の臭気や害虫を室内側へと逆流させないために備えられるものである。また、封水筒１０は前記フランジに脱着自在に係合取り付けされている。
目皿部材２４は、トラップ本体６の排水口１に配置されるよう、フランジに係合取り付けされる。
エルボ部材２３は、側面視エルボ状に構成されて、その内部を排水が通水する管体であって、一方が浴槽パン２１の開口に取り付けられ、他方がトラップ本体６の枝管２５に接続構成される。
【００２１】
段落００２０に記載した従来例の排水トラップでは、以下のような排水の流れとなる。
洗い場パン２２に発生した排水は、洗い場パン２２の開口から裏面のトラップ本体６の排水口１からトラップ本体６内部に流入し、封水筒１０を経過して封水椀９に流入する。封水椀９内の排水は封水筒１０下端を通過して封水椀９の上端を乗り越え、通水路７を通過して、トラップ本体６内の流水路３の傾斜面５を経由し、トラップ本体６の排出口２から外部へ排出される。また、排出口２から排水された排水は最終的には下水へと排水される。このとき、排水は傾斜面５により排水の流れが円滑に勢いづけられると共に、傾斜面５の最下端が排出口２の底面と同一高さとなっているため、勢いづけられた排水は円滑に排出口２から外部に排出されることができる。
浴槽からの排水は、浴槽パン２１の開口に取り付けられているエルボ部材２３内へ流入して、そのままトラップ本体６の枝管２５からトラップ本体６内へ流入する。枝管２５からトラップ本体６内へ流入した浴槽排水はトラップ本体６内の流水路３を通過し、トラップ本体６の排出口２から下水へと排水される。このとき、排水は傾斜面５により排水の流れが円滑に勢いづけられると共に、傾斜面５の最下端が排出口２の底面と同一高さとなっているため、勢いづけられた排水は円滑に排出口２から外部に排出されることができる。また、トラップ本体６底面と排出口２部分に高さ方向の段差がなくなるので、排水の流れが段差に阻害されるようなことなく円滑に排水される。また、段差分排水トラップ本体の高さ方向を小さくすることができたので、床下の高さ方向を小さくすることができるようになった。
浴槽パン２１からの排水は、浴槽パン２１の開口からエルボ部材２３内へ流入し、そのままトラップ本体６の枝管２５からトラップ本体６内の流水路３に流入し、その後トラップ本体６の排出口２から下水へと排出される。
このような排水経路をとることから、洗い場パン２２からの排水、浴槽からの排水、浴槽パン２１からの排水はいずれもトラップ本体６内の封水を経過して下水管へと排出される。従って、洗い場パン２２の開口や浴槽パン２１の開口から下水からの悪臭や害虫が逆流することはない。
また、洗い場パン２２からの排水中に髪の毛やゴミなどが存在していても、トラップ本体６の排水口１には目皿部材２４が構成されているので、目皿部材２４に髪の毛やゴミが補集され、トラップ本体６内や下水側へ流入することはない。
また、トラップ本体６の流水路３に傾斜面５を構成したことから、本実施例の排水トラップは排水流量が向上した。
【００２２】
以下に本発明の第２実施例を、図面を参照しつつ説明する。
本発明の排水トラップは、図２乃至図９に図示した排水トラップである。以下に図２乃至図９に図示した排水トラップの実施例を、図面を参照しつつ説明する。
図２乃至図９に図示した従来例の排水トラップは、以下に記載する洗濯機用防水パン２０に取り付けられる。
洗濯機用防水パン２０は、上部に洗濯機を載置したパンであって、底面に開口を構成している。
排水トラップは、以下に記載するトラップ本体６、フランジ、封水椀９、封水筒１０、泡止めパイプ１６、継手１８、目皿部材２４から構成されてなる。
トラップ本体６は、有底筒状であって、上部に排水が流入する排水口１、側面に排水を排出させる排出口２、を構成してなる。また、排水口１には、後記するフランジと螺合する雌ねじを刻設し、排出口２には管体が接続されて、最終的には下水管へと接続される。また、後記する封水椀９が内部に配置されるが、この封水椀９より外周の空間を排水の通過する流水路３として構成される。尚、図６乃至図８に示すように、当該トラップ本体６の流水路３の一部底面を隆起させて頂点部４とし、当該頂点部４を起点にして両側に排出口２の最下端まで繋がる下り傾斜面５を設けてなる。また、頂点部４は、上面視（図６）排出口２の中心線と、頂点部４からトラップ本体６の中心点に向かう直線との成す角度が約２６０°となる位置に配置構成されており、頂点部４を起点とする傾斜面５は、トラップ本体６の上面視排出口２の中心線に対して線対称とはならないように配置構成されている。頂点部４を排出口２の中心線に対して線対称とならないように構成すれば、線対称に構成したものと比較して、実験の結果、排水の流れをより強く勢いづけることが判明している。
尚、この傾斜面５は、トラップ本体６内の流水路３を流れている排水が、当該頂点部４からの傾斜面５により排水の流れが排出口２に向かって円滑に勢い付き、そのまま傾斜面５に沿って排出口２から円滑に排水される。
フランジは、断面視外向き状の鍔を有したＬ字状の部材であって、外周に前記トラップ本体６と螺合する雄ねじを構成している。尚、トラップ本体６を前記洗い場パン２２の開口に取り付けるための部材であり、洗い場パン２２の開口に対しフランジとトラップ本体６を挟着させて、フランジの雄ねじとトラップ本体６の排水口１の雌ねじと螺合させて取付けられる。
封水椀９は、トラップ本体６内に配置される有底筒状の椀であって、内部に封水と呼ばれる排水を一部貯水する空間を構成する。そして、封水椀９の上部には、封水椀９内の排水の溢れ水を封水椀９外に排水するための通水路７を開口してなる。また、当該実施例では封水椀９は前記フランジに係合載置により脱着自在に取り付けられている。そして、図４に示すように底面中心には緩やかなＲ形状で上方に向けてなだらかに隆起させた凸部８を構成している。当該凸部８により、凸部８の上方から流下してきた排水は凸部８に当接することにより、凸部８の周囲に排水流れが勢いづいて形成される。
封水筒１０は、円筒状の部材であって、前記封水椀９内に配置されて、封水椀９と共同で封水を形成する。封水は下水の臭気や害虫を室内側へと逆流させないために備えられるものである。また、封水筒１０は前記フランジに脱着自在に係合取り付けされている。
泡止めパイプ１６は、図５に示すように、排水機器からの排水（本実施例では洗濯機からの排水）を封水筒１０の下端より下流へとガイドしつつ排水させる部材であって、排水機器からの排水が流入する流入口１１を上部に備えた円筒状の筒部１３、筒部１３下端に、側方へ延出して筒部１３内の排水を泡止めパイプ１６外へ排出する流出口１２を備えたガイド部１４を構成する。尚、ガイド部１４は、封水筒１０と近接もしくは封水筒１０より外方へ延出されるよう構成されるとともに、底面は開放されて構成されている。そして、当該ガイド部１４は、上面視緩やかな曲線形状であり、具体的には上面視筒部１３１３の円形と接円する曲線であり、排水の流れ方向に向かって外側となる方向のガイド部１４の半径は小さく、内側となる方向のガイド部１４の半径が大きく構成している。また、本実施例ではガイド部１４を側方に向かって３つ構成しており、従って流出口１２も３つ構成される。
当該ガイド部１４により、泡止めパイプ１６の流入口１１から流入した排水はガイド部１４の緩やかな曲線により排水に勢いが付いた流れとなり、勢いよく排水される。
また、泡止めパイプ１６の筒部１３の周囲には、泡止めパイプ１６の封水筒１０内の位置固定のための羽部１５が側方に向けて立設されている。当該羽部１５は、泡止めパイプ１６がトラップ本体６にセットされた際、封水筒１０及び封水椀９内の中心部に配置することができるように羽状の壁が立設されている。そして、トラップ本体６にセットされた際には、上面視封水筒１０内にガイド部１４以外の排水が通水するための開口部１７が構成される。このような開口を構成したことで、泡止めパイプ１６以外から（例えば排水口１から）排水された排水でも、泡止めパイプ１６のガイド部１４が邪魔せず円滑に封水筒１０より下流に流れ込むことができる。
継手１８は、洗濯機からの排水ホース１９と泡止めパイプ１６の流入口１１の間に介されて接続される、エルボ状の管体である。
目皿部材２４は、トラップ本体６の排水口１に配置されるよう、フランジに係合取り付けされる。
【００２３】
このような構成の排水トラップは、以下のように取り付けられる。
洗濯機用防水パン２０の開口に、下方からトラップ本体６の開口をあてがい、上方からフランジ雄ねじをトラップ本体６の排水口１の雌ねじに螺合させて排水管をトラップ本体６の排出口２に接続する。その後、脱着自在な封水椀９を排水口１からトラップ本体６の内部にセットし、フランジと封水椀９を係止載置させ、更に排水口１から泡止めパイプ１６を封水椀９にセットし、その後封水筒１０を排水口１から封水椀９内にセットし、フランジに係合して取り付ける。このとき、泡止めパイプ１６の筒部１３外周には羽部１５が構成されているので、封水筒１０及び封水椀９に対して中心に泡止めパイプ１６が配置されるように位置決めすることができる。また、目皿部材２４をフランジにセットし、泡止めパイプ１６が洗濯機に接続された継手１８を接続することで当該実施例の排水トラップの取付は終了する。
【００２４】
本実施例の排水トラップは、以下のような排水の流れとなる。
洗濯機から発生した排水は、洗濯機の排水ホース１９、継手１８を介して泡止めパイプ１６の流入口１１に流入し、筒部１３を介して一旦封水椀９の底面向けて流下し、封水椀９の凸部８に衝突して周囲に拡散しガイド部１４を介して流出口１２から泡止めパイプ１６外へ排出される。このとき、凸部８で衝突して周囲に拡散した排水はそのまま緩やかな曲線形状のガイド部１４のガイドに沿うように流れる。そして、排水は緩やかな曲線のガイド部１４により排水が円滑に勢いづきながら流出口１２から排出されるので、従来の泡止めパイプ１６と比較して、排水流量が格段に向上した。
このようにして泡止めパイプ１６内を通過した排水は、ガイド部１４が封水筒１０と近接している若しくは封水筒１０より外方へ延出して構成されるので、洗濯機の排水に多く含まれる泡は直接泡止めパイプ１６のガイド部１４から封水筒１０の外方へ強制的に排出され、排水中の泡が封水筒１０から排水口１へ逆流するようなことはない。
泡止めパイプ１６からの排水は、封水筒１０より外方の封水椀９内へ排出されて封水椀９の通水路７からトラップ本体６内の流水路３へ排出される。そして、トラップ本体６内の流水路３の傾斜面５を経由し、トラップ本体６の排出口２から外部へ排出される。また、排出口２から排水された排水は最終的には下水へと排水される。このとき、排水は傾斜面５により排水の流れが円滑に勢いづけられると共に、傾斜面５の最下端が排出口２の底面と同一高さとなっているため、勢いづけられた排水は円滑に排出口２から外部に排出されることができる。
また、封水椀９の凸部８及び泡止めパイプ１６の緩やかな曲線形状のガイド部１４により排水の勢いが増した上で、トラップ本体６の傾斜面５によりさらに排水の流れが強制的に勢いづき、排水が円滑に流れて最終的には排出口２から下水へと排水される。従って、排水トラップの排水流量が向上した。
【００２５】
また、本発明の実施例は上記に記載した実施例のほかにも、特許請求の範囲を逸脱しない範囲で適宜変更が可能である。
【図面の簡単な説明】
【００２６】
【図１】本発明の第１実施例の施工状態を示す断面図である。
【図２】本発明の第２実施例を示す断面図である。
【図３】本発明の第２実施例を示す図２のＡ−Ａ’断面図である。
【図４】（ａ）本発明の第２実施例の封水椀を示す上面図である。（ｂ）本発明の第２実施例の封水椀を示す図４（ａ）のＢ−Ｂ’断面図である。
【図５】（ａ）本発明の第２実施例の泡止めパイプを示す上面図である。（ｂ）本発明の第２実施例の泡止めパイプを示す図５（ｃ）のＣ−Ｃ’断面図である。（ｃ）本発明の第２実施例の泡止めパイプを示す底面図である。
【図６】本発明の第２実施例のトラップ本体の上面図である。
【図７】本発明の第２実施例のトラップ本体の側面図である。
【図８】本発明の第２実施例のトラップ本体を示す図６におけるＤ−Ｄ’断面図である。
【図９】本発明の第２実施例の施工状態を示す断面図である。
【図１０】従来例を示す断面図である。
【図１１】従来例を示す断面図である。
【符号の説明】
【００２７】
１    排水口
２    排出口
３    流水路
４    頂点部
５    傾斜面
６    トラップ本体
７    通水路
８    凸部
９    封水椀
１０  封水筒
１１  流入口
１２  流出口
１３  筒部
１４  ガイド部
１５  羽部
１６  泡止めパイプ
１７  開口部
１８  継手
１９  排水ホース
２０  洗濯機用防水パン
２１  浴槽パン
２２  洗い場パン
２３  エルボ部材
２４  目皿部材
２５  枝管
【図１】
2008196169.tif 000003
【図２】
2008196169.tif 000004
【図３】
2008196169.tif 000005
【図４】
2008196169.tif 000006
【図５】
2008196169.tif 000007
【図６】
2008196169.tif 000008
【図７】
2008196169.tif 000009
【図８】
2008196169.tif 000010
【図９】
2008196169.tif 000011
【図１０】
2008196169.tif 000012
【図１１】
2008196169.tif 000013